(57)【要約】【課題】  無線接続する際により確実に接続することが可能なプロジェクター等を提供すること。【解決手段】  プロジェクター１００が、ビーコン信号を受信する無線通信部１２０と、記憶済みのＳＳＩＤと、当該記憶済みのＳＳＩＤに対応した記憶済みのＢＳＳＩＤとを示すスキャンリストデータ１４２を記憶する記憶部１４０と、ビーコン信号で示される第２のＳＳＩＤが、指定ＳＳＩＤと一致し、かつ、ビーコン信号で示される第２のＢＳＳＩＤが、指定ＳＳＩＤと一致する記憶済みのＳＳＩＤである第１のＳＳＩＤに対応した記憶済みのＢＳＳＩＤである第１のＢＳＳＩＤと異なっているかどうかを判定する判定部１６０と、スキャンリストデータ１４２における第１のＢＳＳＩＤを第２のＢＳＳＩＤに更新する更新部１３０と、スキャンリストデータ１４２に基づき、接続処理を実行する制御部１５０を含んで構成される。【選択図】  図２
2011249957.tif 000002
【特許請求の範囲】
【請求項１】
ビーコン信号を受信する無線通信部と、
指定ＳＳＩＤが入力される入力部と、
記憶済みのＳＳＩＤと、当該記憶済みのＳＳＩＤに対応した記憶済みのＢＳＳＩＤとを示すスキャンリストデータを記憶する記憶部と、
前記ビーコン信号で示される第２のＳＳＩＤが、前記指定ＳＳＩＤと一致し、かつ、前記ビーコン信号で示される第２のＢＳＳＩＤが、前記指定ＳＳＩＤと一致する前記記憶済みのＳＳＩＤである第１のＳＳＩＤに対応した前記記憶済みのＢＳＳＩＤである第１のＢＳＳＩＤと異なっているかどうかを判定する判定部と、
当該判定部による判定結果が真である場合、前記スキャンリストデータにおける前記第１のＢＳＳＩＤを前記第２のＢＳＳＩＤに更新する更新部と、
前記スキャンリストデータに基づき、前記無線通信部を制御することにより、接続処理を実行する制御部と、
を含む無線通信装置。
【請求項２】
請求項１に記載の無線通信装置を含むプロジェクター。
【請求項３】
他のプロジェクターと無線通信を行うことにより、前記他のプロジェクターと協働して画像を投写するプロジェクターにおいて、
ビーコン信号を受信する無線通信部と、
指定ＳＳＩＤが入力される入力部と、
記憶済みのＳＳＩＤと、当該記憶済みのＳＳＩＤに対応した記憶済みのＢＳＳＩＤとを示すスキャンリストデータを記憶する記憶部と、
前記ビーコン信号で示される第２のＳＳＩＤが、前記指定ＳＳＩＤと一致し、かつ、前記ビーコン信号で示される第２のＢＳＳＩＤが、前記指定ＳＳＩＤと一致する前記記憶済みのＳＳＩＤである第１のＳＳＩＤに対応した前記記憶済みのＢＳＳＩＤである第１のＢＳＳＩＤと異なっているかどうかを判定する第１の判定を行うとともに、前記第１の判定の判定結果が真である場合、前記ビーコン信号に当該ビーコン信号の送信元が前記他のプロジェクターであることを示す情報が含まれているかどうかを判定する第２の判定を行う判定部と、
当該判定部による判定結果が真である場合、前記スキャンリストデータにおける前記第１のＢＳＳＩＤを前記第２のＢＳＳＩＤに更新する更新部と、
前記スキャンリストデータに基づき、前記無線通信部を制御することにより、前記他のプロジェクターに対する接続処理を実行する制御部と、
を含むプロジェクター。
【請求項４】
請求項３に記載のプロジェクターにおいて、
投写部を含み、
前記制御部は、前記判定結果が偽である場合、前記投写部を制御することにより、協働による画像の投写ができないことを通知する通知画像を投写させる、
プロジェクター。
【請求項５】
記憶済みのＳＳＩＤと、当該記憶済みのＳＳＩＤに対応した記憶済みのＢＳＳＩＤとを示すスキャンリストデータを記憶する記憶部を有する無線通信装置が、
ビーコン信号を受信し、
指定ＳＳＩＤが入力され、
前記ビーコン信号で示される第２のＳＳＩＤが、前記指定ＳＳＩＤと一致し、かつ、前記ビーコン信号で示される第２のＢＳＳＩＤが、前記指定ＳＳＩＤと一致する前記記憶済みのＳＳＩＤである第１のＳＳＩＤに対応した前記記憶済みのＢＳＳＩＤである第１のＢＳＳＩＤと異なっているかどうかを判定し、
当該判定による判定結果が真である場合、前記スキャンリストデータにおける前記第１のＢＳＳＩＤを前記第２のＢＳＳＩＤに更新し、
前記スキャンリストデータに基づき、接続処理を実行する、
無線通信方法。
【請求項６】
他のプロジェクターと無線通信を行うことにより、前記他のプロジェクターと協働して画像を投写する投写方法において、
記憶済みのＳＳＩＤと、当該記憶済みのＳＳＩＤに対応した記憶済みのＢＳＳＩＤとを示すスキャンリストデータを記憶する記憶部を有するプロジェクターが、
ビーコン信号を受信し、
指定ＳＳＩＤが入力され、
前記ビーコン信号で示される第２のＳＳＩＤが、前記指定ＳＳＩＤと一致し、かつ、前記ビーコン信号で示される第２のＢＳＳＩＤが、前記指定ＳＳＩＤと一致する前記記憶済みのＳＳＩＤである第１のＳＳＩＤに対応した前記記憶済みのＢＳＳＩＤである第１のＢＳＳＩＤと異なっているかどうかを判定する第１の判定を行い、
前記第１の判定の判定結果が真である場合、前記ビーコン信号に当該ビーコン信号の送信元が前記他のプロジェクターであることを示す情報が含まれているかどうかを判定する第２の判定を行い、
前記第２の判定結果が真である場合、前記スキャンリストデータにおける前記第１のＢＳＳＩＤを前記第２のＢＳＳＩＤに更新し、
前記スキャンリストデータに基づき、前記他のプロジェクターに対する接続処理を実行する、
前記他のプロジェクターに接続した状態で、前記他のプロジェクターと協働して画像を投写する、
投写方法。
【発明の詳細な説明】
【技術分野】
【０００１】
本発明は、無線通信装置、プロジェクター、無線通信方法および投写方法に関する。
【背景技術】
【０００２】
例えば、特開２００５−１７６１００号公報に記載されているように、無線通信で無線通信装置同士がアドホックモードで接続する方式として、ビーコン信号とＳＳＩＤ（Service Set Identifier）を用いて接続する方式がある。
【先行技術文献】
【特許文献】
【０００３】
【特許文献１】特開２００５−１７６１００号公報
【発明の概要】
【発明が解決しようとする課題】
【０００４】
しかし、無線通信装置が、本来接続可能なＳＳＩＤを設定したにもかかわらず、他の無線通信装置に接続できない場合がある。接続できない要因の１つにＯＢＳＳ（Overlapping Basic Service Set）という現象の発生がある。インフラストラクチャーモードでは、ＢＳＳＩＤ（Basic Service Set Identifier）として、一般的に無線ＬＡＮカードのＭＡＣ（Media Access Control）アドレスが使用されるため、常に同じＢＳＳＩＤが生成される。これに対し、アドホックモードでは、最初の無線通信装置（クリエイター）によってランダムなＢＳＳＩＤが生成される仕様になっており、同じクリエイターであっても異なるＢＳＳＩＤが生成されてしまうため、ＯＢＳＳが発生する。ＯＢＳＳが発生することによって接続できない場合、ユーザーは、無線通信装置を再起動する必要があり、手間がかかっていた。また、複数のプロジェクターを用いてマルチ投写を行う際に、画像供給装置であるパーソナルコンピューターと、プロジェクターとを無線で接続することがあるが、このような場合にＯＢＳＳが発生することによって接続できないと、一部のプロジェクターから画像が投写されないことによって適切な画像が表示されないことになってしまう。
【０００５】
本発明にかかるいくつかの態様は、上記課題を解決することにより、無線接続する際により確実に接続することが可能な無線通信装置、プロジェクター、無線通信方法および投写方法を提供するものである。
【課題を解決するための手段】
【０００６】
本発明の態様の１つである無線通信装置は、ビーコン信号を受信する無線通信部と、指定ＳＳＩＤが入力される入力部と、記憶済みのＳＳＩＤと、当該記憶済みのＳＳＩＤに対応した記憶済みのＢＳＳＩＤとを示すスキャンリストデータを記憶する記憶部と、前記ビーコン信号で示される第２のＳＳＩＤが、前記指定ＳＳＩＤと一致し、かつ、前記ビーコン信号で示される第２のＢＳＳＩＤが、前記指定ＳＳＩＤと一致する前記記憶済みのＳＳＩＤである第１のＳＳＩＤに対応した前記記憶済みのＢＳＳＩＤである第１のＢＳＳＩＤと異なっているかどうかを判定する判定部と、当該判定部による判定結果が真である場合、前記スキャンリストデータにおける前記第１のＢＳＳＩＤを前記第２のＢＳＳＩＤに更新する更新部と、前記スキャンリストデータに基づき、前記無線通信部を制御することにより、接続処理を実行する制御部と、を含むことを特徴とする。
【０００７】
また、本発明の態様の１つであるプロジェクターは、上記無線通信装置を含むことを特徴とする。
【０００８】
また、本発明の態様の１つである無線通信方法は、記憶済みのＳＳＩＤと、当該記憶済みのＳＳＩＤに対応した記憶済みのＢＳＳＩＤとを示すスキャンリストデータを記憶する記憶部を有する無線通信装置が、ビーコン信号を受信し、指定ＳＳＩＤが入力され、前記ビーコン信号で示される第２のＳＳＩＤが、前記指定ＳＳＩＤと一致し、かつ、前記ビーコン信号で示される第２のＢＳＳＩＤが、前記指定ＳＳＩＤと一致する前記記憶済みのＳＳＩＤである第１のＳＳＩＤに対応した前記記憶済みのＢＳＳＩＤである第１のＢＳＳＩＤと異なっているかどうかを判定し、当該判定による判定結果が真である場合、前記スキャンリストデータにおける前記第１のＢＳＳＩＤを前記第２のＢＳＳＩＤに更新し、前記スキャンリストデータに基づき、接続処理を実行することを特徴とする。
【０００９】
本発明によれば、無線通信装置等は、ＳＳＩＤが同じでＢＳＳＩＤが異なる通信対象が検出され、スキャンリストデータの登録内容と一致するビーコン信号を受信できない場合は、予め入力された指定ＳＳＩＤと、受信されたビーコン信号が示す第２のＢＳＳＩＤに基づいて、スキャンリストデータにおける第１のＢＳＳＩＤを更新し、更新された第１のＢＳＳＩＤを含むスキャンリストデータに基づいて通信対象との接続処理を実行するので、ＯＢＳＳが発生した場合であっても、本発明の無線通信装置等を備えた機器のユーザーに設定の変更を強いることなく、所望の通信対象との接続を確立させることができ、アドホックモード等で無線接続する際により確実に接続することができる。
【００１０】
また、本発明の態様の１つであるプロジェクターは、他のプロジェクターと無線通信を行うことにより、他のプロジェクターと協働して画像を投写するプロジェクターにおいて、ビーコン信号を受信する無線通信部と、指定ＳＳＩＤが入力される入力部と、記憶済みのＳＳＩＤと、当該記憶済みのＳＳＩＤに対応した記憶済みのＢＳＳＩＤとを示すスキャンリストデータを記憶する記憶部と、前記ビーコン信号で示される第２のＳＳＩＤが、前記指定ＳＳＩＤと一致し、かつ、前記ビーコン信号で示される第２のＢＳＳＩＤが、前記指定ＳＳＩＤと一致する前記記憶済みのＳＳＩＤである第１のＳＳＩＤに対応した前記記憶済みのＢＳＳＩＤである第１のＢＳＳＩＤと異なっているかどうかを判定する第１の判定を行うとともに、前記第１の判定の判定結果が真である場合、前記ビーコン信号に当該ビーコン信号の送信元が前記他のプロジェクターであることを示す情報が含まれているかどうかを判定する第２の判定を行う判定部と、当該判定部による判定結果が真である場合、前記スキャンリストデータにおける前記第１のＢＳＳＩＤを前記第２のＢＳＳＩＤに更新する更新部と、前記スキャンリストデータに基づき、前記無線通信部を制御することにより、前記他のプロジェクターに対する接続処理を実行する制御部と、を含むことを特徴とする。
【００１１】
また、本発明の態様の１つである投写方法は、他のプロジェクターと無線通信を行うことにより、他のプロジェクターと協働して画像を投写する投写方法において、記憶済みのＳＳＩＤと、当該記憶済みのＳＳＩＤに対応した記憶済みのＢＳＳＩＤとを示すスキャンリストデータを記憶する記憶部を有するプロジェクターが、ビーコン信号を受信し、指定ＳＳＩＤが入力され、前記ビーコン信号で示される第２のＳＳＩＤが、前記指定ＳＳＩＤと一致し、かつ、前記ビーコン信号で示される第２のＢＳＳＩＤが、前記指定ＳＳＩＤと一致する前記記憶済みのＳＳＩＤである第１のＳＳＩＤに対応した前記記憶済みのＢＳＳＩＤである第１のＢＳＳＩＤと異なっているかどうかを判定する第１の判定を行い、前記第１の判定の判定結果が真である場合、前記ビーコン信号に当該ビーコン信号の送信元が前記他のプロジェクターであることを示す情報が含まれているかどうかを判定する第２の判定を行い、前記第２の判定結果が真である場合、前記スキャンリストデータにおける前記第１のＢＳＳＩＤを前記第２のＢＳＳＩＤに更新し、前記スキャンリストデータに基づき、前記他のプロジェクターに対する接続処理を実行する、前記他のプロジェクターに接続した状態で、前記他のプロジェクターと協働して画像を投写することを特徴とする。
【００１２】
本発明によれば、プロジェクターは、ＳＳＩＤが同じでＢＳＳＩＤが異なる通信対象が検出され、スキャンリストデータの登録内容と一致するビーコン信号を受信できない場合は、予め入力された指定ＳＳＩＤと、受信されたビーコン信号が示す第２のＢＳＳＩＤに基づいて、スキャンリストデータにおける第１のＢＳＳＩＤを更新し、更新された第１のＢＳＳＩＤを含むスキャンリストデータに基づいて、検出された通信対象との接続処理を実行するので、ＯＢＳＳが発生した場合であっても、プロジェクターのユーザーに設定の変更等を強いることなく、他のプロジェクターとの接続を確立させることができる。これにより、プロジェクターは、アドホックモード等で無線接続する際により確実に接続することができる。また、これにより、ユーザーの手を煩わせることなく、他のプロジェクターと協働して画像を投写することができる。
【００１３】
また、前記プロジェクターは、投写部を含み、前記制御部は、前記判定結果が偽である場合、前記投写部を制御することにより、協働による画像の投写ができないことを通知する通知画像を投写させてもよい。これによれば、プロジェクターは、ユーザーに対して通知することができるため、ユーザーは、手動で再接続等を行うことにより、プロジェクターを他のプロジェクターに接続させることができる。
【図面の簡単な説明】
【００１４】
【図１】第１の実施例における通信状況を示す図である。
【図２】第１の実施例におけるプロジェクターの機能ブロック図である。
【図３】第１の実施例における無線通信手順を示すフローチャートである。
【図４】第２の実施例における通信状況を示す図である。
【図５】第２の実施例におけるプロジェクターの機能ブロック図である。
【図６】第２の実施例における無線通信手順を示すフローチャートである。
【図７】第２の実施例における通知画像の一例を示す図である。
【発明を実施するための形態】
【００１５】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１６】
（第１の実施例）
図１は、第１の実施例における通信状況を示す図である。プロジェクター１００は、着脱可能な無線通信装置１１０がプロジェクター１００のＵＳＢ（Universal Serial Bus）スロットに差し込まれた状態で、アドホックモードでＰＣ（Personal Computer）２００に無線で接続する。プロジェクター１００は、ＰＣ２００からの画像情報に基づき、スクリーン１０に画像２０を投写する。なお、実際には、ＰＣ２００以外にも複数の無線通信可能な装置が存在している。プロジェクター１００は、ＯＢＳＳが発生した場合であっても、自動的に修復する機能を有している。
【００１７】
図２は、第１の実施例におけるプロジェクター１００の機能ブロック図である。プロジェクター１００は、無線通信装置１１０と、出力部としての機能を有するＵＳＢインターフェイス部１７２と、画像２０を投写する投写部１９０と、ユーザーの指示を受け付ける受付部１９２を含んで構成されている。また、無線通信装置１１０は、無線通信部１２０と、スキャンリストデータ１４２、ネットワーク設定データ１４４、ビーコン信号データ１４６等を記憶する記憶部１４０と、スキャンリストデータ１４２等を更新する更新部１３０と、無線通信部１２０等を制御する制御部１５０と、判定部１６０と、入力部としての機能を有するＵＳＢインターフェイス部１７０と、スキャン実行部１８０を含んで構成されている。なお、スキャンリストデータ１４２は、アクセスポイントに関する情報を示すデータであり、１つまたは複数の記憶済みのＳＳＩＤと、当該記憶済みのＳＳＩＤに対応した、１つまたは複数の記憶済みのＢＳＳＩＤとを示すデータであり、ネットワーク設定データ１４４は、プロジェクター１００における通信方式等を示すデータであり、ビーコン信号データ１４６は、無線通信部１２０によって受信されたＰＣ２００からのビーコン信号を示すデータである。更新部１３０は、当該ビーコン信号をビーコン信号データ１４６として記憶部１４０に記憶する。
【００１８】
また、プロジェクター１００は、以下のハードウェアを用いてこれらの各部として機能してもよい。例えば、プロジェクター１００は、無線通信部１２０は無線通信ユニット等、更新部１３０、制御部１５０、判定部１６０、スキャン実行部１８０はＣＰＵ等、記憶部１４０は不揮発性メモリー等、ＵＳＢインターフェイス部１７０、１７２はＵＳＢインターフェイス等、受付部１９２は受光ユニット、操作ボタン等、投写部１９０は画像処理回路、ランプ、液晶パネル、液晶駆動回路、レンズ等を用いてもよい。受付部１９２は、接続すべきＰＣ２００のＳＳＩＤ、すなわち、指定ＳＳＩＤの入力を受け付ける。指定ＳＳＩＤは、ＵＳＢインターフェイス部１７２を通じて入力部としてのＵＳＢインターフェイス部１７０に入力される。
【００１９】
次に、本実施例における無線通信手順について説明する。図３は、第１の実施例における無線通信手順を示すフローチャートである。制御部１５０は、受付部１９２からの接続指示に応じてアドホックモードでの接続を実行させるように無線通信部１２０を制御する（ステップＳ１）。例えば、ユーザーは、投写部１９０によって投写されたネットワーク設定画像で設定を行い、更新部１３０は、当該設定に応じてネットワーク設定データ１４４を更新する。また、ネットワーク設定画像が投写された状態で、設定完了の指示があった場合、制御部１５０は、アドホックモードでの接続を実行させる。
【００２０】
判定部１６０は、無線通信部１２０からの情報に基づき、接続に失敗したかどうかを判定する（ステップＳ２）。例えば、無線通信部１２０が一定時間内に接続要求に対する応答を受信できなかった場合、判定部１６０は接続失敗と判定する。接続に成功した場合、プロジェクター１００は、接続処理を終了する。一方、接続に失敗した場合、スキャン実行部１８０は、パッシブスキャンを実行する（ステップＳ３）。より具体的には、スキャン実行部１８０は、無線通信部１２０によって受信されたビーコン信号を、更新部１３０を制御してビーコン信号１４６として記憶部１４０に記憶させるとともに、スキャンリストデータ１４２、ネットワーク設定データ１４４およびビーコン信号データ１４６に基づき、ネットワーク設定データ１４４で示されるユーザーによって指定された指定ＳＳＩＤに対応したデータをスキャンリストデータ１４２から決定する。
【００２１】
また、接続に失敗した場合、判定部１６０は、スキャン実行部１８０によるスキャン実行結果に基づき、ビーコン信号で示される第２のＳＳＩＤが、入力部（ＵＳＢインターフェイス部１７０）に入力された指定ＳＳＩＤと一致するかどうかを判定する。さらに、判定部１６０は、当該判定結果が真である場合、ビーコン信号で示される第２のＢＳＳＩＤが、指定ＳＳＩＤと一致するスキャンリストデータ１４２における記憶済みのＳＳＩＤである第１のＳＳＩＤに対応し、かつ、スキャンリストデータ１４２における記憶済みのＢＳＳＩＤである第１のＢＳＳＩＤと異なっているかどうかを判定する（ステップＳ４）。
【００２２】
ステップＳ４の判定結果が真である場合、すなわち、ビーコン信号で示される第２のＳＳＩＤが、指定ＳＳＩＤと一致し、かつ、ビーコン信号で示される第２のＢＳＳＩＤが、スキャンリストデータ１４２における第１のＳＳＩＤに対応した第１のＢＳＳＩＤと異なっている場合、更新部１３０は、スキャンリストデータ１４２の第１のＢＳＳＩＤを第２のＢＳＳＩＤに更新する（ステップＳ５）。ステップＳ４の判定結果が偽である場合、あるいは、ステップＳ５の更新が行われた後、無線通信部１２０は、スキャンリストデータ１４２に基づき、再接続処理を実行する（ステップＳ１）。
【００２３】
以上のように、本実施例によれば、プロジェクター１００は、ＳＳＩＤが同じでＢＳＳＩＤが異なる通信対象が検出され、スキャンリストデータ１４２の登録内容と一致するビーコン信号を受信できない場合でも、予め入力された指定ＳＳＩＤと、受信されたビーコン信号が示す第２のＢＳＳＩＤに基づいて、スキャンリストデータ１４２における第１のＢＳＳＩＤを更新することにより、アドホックモードの無線接続を、より確実なものとすることができる。したがって、ＯＢＳＳが発生した場合であっても、ユーザーは手動で設定の変更等を行うことなく、所望のＰＣ２００等にプロジェクター１００を接続させることができる。
【００２４】
（第２の実施例）
無線通信装置１１０の機能をプロジェクターに内蔵してもよく、複数のプロジェクターが協働して画像を投写してもよい。図４は、第２の実施例における通信状況を示す図である。ここでは、２台のプロジェクター１０１−１、１０１−２が、それぞれ無線で通信を行い、一方からの画像情報に基づき、スクリーン１０に画像２１、２２を並べて投写する。
【００２５】
図５は、第２の実施例におけるプロジェクター１０１の機能ブロック図である。プロジェクター１０１は、無線通信部１２１と、記憶部１３１と、記憶部１４１と、制御部１５１と、判定部１６１と、スキャン実行部１８１と、投写部１９１と、入力部として機能する受付部１９３を含んで構成されている。なお、各部の機能は第１の実施例と同様であるため、説明を省略する。
【００２６】
図６は、第２の実施例における無線通信手順を示すフローチャートである。制御部１５１は、受付部１９３からの接続指示に応じてアドホックモードでの接続を実行させるように無線通信部１２１を制御する（ステップＳ１１）。
【００２７】
判定部１６１は、無線通信部１２１からの情報に基づき、接続に失敗したかどうかを判定する（ステップＳ１２）。接続に成功した場合、プロジェクター１０１は、接続処理を終了する。一方、接続に失敗した場合、スキャン実行部１８１は、パッシブスキャンを実行する（ステップＳ１３）。
【００２８】
また、接続に失敗した場合、判定部１６１は、スキャン実行部１８１によるスキャン実行結果に基づき、ビーコン信号で示される第２のＳＳＩＤが、入力部（受付部１９３）に入力された指定ＳＳＩＤと一致するかどうかを判定する。さらに、判定部１６０は、当該判定結果が真である場合、ビーコン信号で示される第２のＢＳＳＩＤが、指定ＳＳＩＤと一致するスキャンリストデータ１４２における記憶済みのＳＳＩＤである第１のＳＳＩＤに対応し、かつ、スキャンリストデータ１４２における記憶済みのＢＳＳＩＤである第１のＢＳＳＩＤと異なっているかどうかを判定する第１の判定を行う（ステップＳ１４）。
【００２９】
第１の判定の判定結果が真である場合、すなわち、ビーコン信号で示される第２のＳＳＩＤが、指定ＳＳＩＤと一致し、かつ、ビーコン信号で示される第２のＢＳＳＩＤが、スキャンリストデータ１４２における第１のＳＳＩＤに対応した第１のＢＳＳＩＤと異なっている場合、判定部１６１は、ビーコン信号データ１４６にメーカーＩＥ（Information Element）が含まれているかどうかを判定する第２の判定を行う（ステップＳ１５）。なお、メーカーＩＥは、ビーコン信号の発信元がプロジェクター１０１であることを示す情報の一種である。第２の判定の判定結果が真である場合、すなわち、ビーコン信号データ１４６にメーカーＩＥが含まれている場合、更新部１３１は、スキャンリストデータ１４２の第１のＢＳＳＩＤを第２のＢＳＳＩＤに更新する（ステップＳ１６）。
【００３０】
一方、第２の判定の判定結果が偽である場合、制御部１５１は、投写部１９１を制御することにより、協働による画像の投写ができないことを通知する通知画像を投写させる（ステップＳ１７）。図７は、第２の実施例における通知画像３００の一例を示す図である。例えば、通知画像３００は、マルチスクリーン投写（協働による画像の投写）ができないことを示す文字列を示す画像である。ユーザーは、通知画像３００が投写された場合、接続の設定等を確認する。
【００３１】
以上のように、本実施例によっても、プロジェクター１０１は、第１の実施例と同様の作用効果を奏する。また、本実施例によれば、プロジェクター１０１−１は、他のプロジェクター１０１−２と協働して画像を投写する際により確実に投写することができる。また、本実施例によれば、プロジェクター１０１は、通知画像３００を用いてユーザーに対して通知することができるため、ユーザーは、手動で再接続等を行うことにより、プロジェクター１０１−１を他のプロジェクター１０１−２に接続させることができる。
【００３２】
（その他の実施例）
なお、本発明の適用は上述した実施例に限定されず、変形が可能である。例えば、第２の実施例におけるプロジェクター１０１の台数は２台に限定されず、３台以上であってもよい。また、無線通信装置１１０を実装可能な装置は、プロジェクター１００、１０１に限定されず、例えば、プリンター、複合機等に無線通信装置１１０が接続されて使用されてもよい。また、上述した入力部は、ＵＳＢインターフェイスに限定されず、例えば、ＩＥＥＥ１３９４等の他の入力部であってもよい。また、上述したステップＳ４、Ｓ１４では、スキャン実行部１８０、１８１は、パッシブスキャンを実行しているが、アクティブスキャンを実行してもよい。
【００３３】
また、プロジェクター１００、１０１の有するコンピューターは、情報記憶媒体に記憶されたプログラムを読み取って制御部１５０、１５１等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００３４】
また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、投写部１９０、１９１は、ランプの代わりにＬＥＤ等の固体光源を含んでもよい。また、プロジェクター１００、１０１の機能を複数の装置（例えば、ＰＣとプロジェクター等）に分散してもよい。
【符号の説明】
【００３５】
１０  スクリーン、２０〜２２  画像、１００、１０１  プロジェクター、１１０  無線通信装置、１２０、１２１  無線通信部、１３０、１３１  更新部、１４０、１４１  記憶部、１４２  スキャンリストデータ、１４４  ネットワーク設定データ、１４６  ビーコン信号データ、１５０、１５１  制御部、１６０、１６１  判定部、１７０  ＵＳＢインターフェイス部（入力部）、１７２  ＵＳＢインターフェイス部、１８０、１８１  スキャン実行部、１９０、１９１  投写部、１９２、１９３  受付部（入力部）、２００  ＰＣ、３００  通知画像
【図１】
2011249957.tif 000003
【図２】
2011249957.tif 000004
【図３】
2011249957.tif 000005
【図４】
2011249957.tif 000006
【図５】
2011249957.tif 000007
【図６】
2011249957.tif 000008
【図７】
2011249957.tif 000009